(57)【要約】【課題】情報通信網に接続されて通信する通信端末の利用者にとって、その嗜好やスキルに応じた通信端末の設定を自在に行え、設定された機能設定情報を一元管理し、利用者の求めに応じて指定された情報端末へ機能設定情報を提供可能な情報通信システム、情報通信プログラムを提供する。【解決手段】制御端末１としてネットワーク（ＮＷ）サーバ３と、ネットワークサーバ３が接続して利用端末２に接続するための情報通信網（ネットワーク）４と、利用端末２として複数の電話機（情報通信端末）７と、を備える。ネットワークサーバ３は電話機７と通信可能であり、電話機７同士でも通信可能である。【選択図】図１
2008252845.tif 000002
【特許請求の範囲】
【請求項１】
情報通信網を介して互いに通信可能な複数の情報通信端末を有する情報通信システムにおいて、
前記情報通信端末の前記通信の操作に係る機能設定情報を記憶するための機能設定情報記憶手段と、
前記情報通信網に接続して前記機能設定情報記憶手段に記憶された前記機能設定情報を送信するための機能設定情報送信手段と、
前記情報通信網に接続して受信した前記機能設定情報を前記機能設定情報記憶手段に書き込むための機能設定情報受信手段と、をそれぞれ有する前記情報通信端末と、
前記情報通信網に接続されて前記機能設定情報を記憶しておき前記機能設定情報受信手段からの要求に応じて該当の前記機能設定情報を送信するための機能設定情報サーバと、
を備えることを特徴とする情報通信システム。
【請求項２】
前記情報通信端末を操作する利用者はあらかじめ付与された固有のＩＤを有し、
前記情報通信端末の操作において入力された前記ＩＤは前記機能設定情報と関連付けされて前記機能設定情報サーバに記憶され、
前記機能設定情報サーバは、任意の前記情報通信端末の前記機能設定情報送信手段から送信される要求情報に含まれる前記ＩＤと合致した場合に前記要求情報に応じて前記機能設定情報を前記機能設定情報受信手段へ送信する
ことを特徴とする請求項１に記載の情報通信システム。
【請求項３】
前記ＩＤは、
前記利用者の個人を特定するために付与されたユーザＩＤと、前記利用者の属するグループを特定するために該グループ毎に付与されたグループＩＤと、のうちのいずれか一方または両方である
ことを特徴とする請求項２に記載の情報通信システム。
【請求項４】
前記機能設定情報は、前記利用者の任意に設定可能であることを特徴とする請求項１〜３のいずれかに記載の情報通信システム。
【請求項５】
前記情報通信端末は、
前記利用者が触れることにより情報入力が可能なタッチパネルを備え、
このタッチパネルに前記機能設定情報記憶手段に記憶された前記機能設定情報に基づいた前記利用者毎の画面表示を行い、前記通信中に必要な操作画面のみを表示する
ことを特徴とする請求項１〜４のいずれかに記載の情報通信システム。
【請求項６】
前記情報通信網に接続してユーザインタフェースコンテンツをダウンロードすることを特徴とする請求項５に記載の情報通信システム。
【請求項７】
前記ユーザＩＤおよび／または前記グループＩＤ毎に請求項５および請求項６を実行することを特徴とする情報通信システム。
【請求項８】
情報通信網を介して互いに通信可能な複数の情報通信端末を有する情報通信システムに適用しコンピュータにインストールして実行可能な情報通信プログラムにおいて、
機能設定情報記憶手段において前記情報通信端末の前記通信の操作に係る機能設定情報を記憶するステップと、
機能設定情報送信手段において前記情報通信網に接続して前記機能設定情報記憶手段に記憶された前記機能設定情報を送信するステップと、
機能設定情報受信手段において前記情報通信網に接続して受信した前記機能設定情報を前記機能設定情報記憶手段に書き込むステップと、が前記情報通信端末においてそれぞれ実行され、
機能設定情報サーバにおいて前記情報通信網に接続されて前記機能設定情報を記憶しておき前記機能設定情報受信手段からの要求に応じて前記機能設定情報を送信するステップと、
して前記コンピュータに実行させることを特徴とする情報通信プログラム。
【請求項９】
前記情報通信端末を操作する利用者はあらかじめ付与された固有のＩＤを有し、
前記機能設定情報サーバにおいて、
前記情報通信端末の操作において入力された前記ＩＤが前記機能設定情報と関連付けされて記憶されるステップと、
任意の前記情報通信端末の前記機能設定情報送信手段から送信される要求情報に含まれる前記ＩＤと合致した場合に前記要求情報に応じて該当の前記機能設定情報を前記機能設定情報受信手段へ送信するステップと、
を有することを特徴とする請求項８に記載の情報通信プログラム。
【請求項１０】
前記ＩＤは、
前記利用者の個人を特定するために付与されたユーザＩＤと、前記利用者の属するグループを特定するために該グループ毎に付与されたグループＩＤと、のうちのいずれか一方または両方である
ことを特徴とする請求項９に記載の情報通信プログラム。
【請求項１１】
前記機能設定情報は、前記利用者の任意に設定可能であることを特徴とする請求項８〜１０のいずれかに記載の情報通信プログラム。
【請求項１２】
前記情報通信端末は、
前記利用者が触れることにより情報入力が可能なタッチパネルを備え、
このタッチパネルに前記機能設定情報記憶手段に記憶された前記機能設定情報に基づいた前記利用者毎の画面表示を行い、前記通信中に必要な操作画面のみを表示するステップを有することを特徴とする請求項８〜１１のいずれかに記載の情報通信プログラム。
【請求項１３】
前記情報通信網に接続してユーザインタフェースコンテンツをダウンロードするステップを有することを特徴とする請求項１２に記載の情報通信プログラム。
【請求項１４】
前記ユーザＩＤおよび／または前記グループＩＤ毎に請求項１２および請求項１３を実行するステップを有することを特徴とする情報通信プログラム。
【発明の詳細な説明】
【技術分野】
【０００１】
本発明は、情報通信網を介して互いに通信するための情報通信システム、情報通信プログラムに関する。
【背景技術】
【０００２】
従来の技術において、たとえば情報通信網（ネットワーク）を介して相互に接続された複数の構内システム間で、それぞれの構内システムが一元管理している情報を相互に交換可能な構内交換機の構成が知られている（特許文献１参照）。
【特許文献１】特開２００５−２４４４０２号公報
【発明の開示】
【発明が解決しようとする課題】
【０００３】
しかしながら、従来技術では、それぞれの構内システムで一元管理された内線端末に関する電話番号／回線／端末等の情報を他の構内システムへ提供するのみであった。このため、電話機等の端末の個々についての機能設定情報などをきめ細かく管理し、他の電話機等の端末へその機能設定情報を再現することはできなかった。
【０００４】
また、構内システムに管理される一台の端末を複数の利用者が入れ替わり操作する場合において、それぞれの利用者に使いやすいカスタマイズを行い、それを機能設定情報とすることはできなかった。
【０００５】
このような課題に鑑み、本発明は、情報通信網に接続されて通信する通信端末の利用者にとって、その嗜好やスキルに応じた通信端末の設定を自在に行え、設定された機能設定情報を一元管理し、利用者の求めに応じて指定された情報端末へ機能設定情報を提供可能な情報通信システム、情報通信プログラムを提供することを目的とする。
【０００６】
また、タッチパネルを備えてハードウェアを変更することなしに機能追加をすることができ、情報通信システムおよび情報通信プログラムの開発効率を向上させることを目的とする。
【０００７】
また、情報通信網を介して情報通信端末のバージョンアップを容易に実行可能にすることを目的とする。
【課題を解決するための手段】
【０００８】
請求項１に記載の本発明は、情報通信網を介して互いに通信可能な複数の情報通信端末を有する情報通信システムにおいて、前記情報通信端末の前記通信の操作に係る機能設定情報を記憶するための機能設定情報記憶手段と、前記情報通信網に接続して前記機能設定情報記憶手段に記憶された前記機能設定情報を送信するための機能設定情報送信手段と、前記情報通信網に接続して受信した前記機能設定情報を前記機能設定情報記憶手段に書き込むための機能設定情報受信手段と、をそれぞれ有する前記情報通信端末と、前記情報通信網に接続されて前記機能設定情報を記憶しておき前記機能設定情報受信手段からの要求に応じて前記機能設定情報を送信するための機能設定情報サーバと、を備える。
【０００９】
また、請求項２に記載の本発明は、請求項１において、前記情報通信端末を操作する利用者はあらかじめ付与された固有のユーザＩＤを有し、前記情報通信端末の操作において入力された前記ユーザＩＤは前記機能設定情報と関連付けされて前記機能設定情報サーバに記憶され、前記機能設定情報サーバは、任意の前記情報通信端末の前記機能設定情報送信手段から送信される要求情報に含まれる前記ユーザＩＤと合致した場合に前記要求情報に応じて前記機能設定情報を前記機能設定情報受信手段へ送信する。
【００１０】
また、請求項３に記載の本発明は、請求項２において、前記ＩＤは、前記利用者の個人を特定するために付与されたユーザＩＤと、前記利用者の属するグループを特定するために該グループ毎に付与されたグループＩＤと、のうちのいずれか一方または両方である。
【００１１】
また、請求項４に記載の本発明は、請求項１〜３のいずれかにおいて、前記機能設定情報は、前記利用者の任意に設定可能である。
【００１２】
また、請求項５に記載の本発明は、請求項１〜４のいずれかにおいて、前記情報通信端末は、前記利用者が触れることにより情報入力が可能なタッチパネルを備え、このタッチパネルに前記機能設定情報記憶手段に記憶された前記機能設定情報に基づいた前記利用者毎の画面表示を行い、前記通信中に必要な操作画面のみを表示する。
【００１３】
また、請求項６に記載の本発明は、請求項５において、前記情報通信網に接続してユーザインタフェースコンテンツをダウンロードする。
【００１４】
また、請求項７に記載の本発明は、前記ユーザＩＤおよび／または前記グループＩＤ毎に請求項５および請求項６を実行する。
【００１５】
また、請求項８に記載の本発明は、情報通信網を介して互いに通信可能な複数の情報通信端末を有する情報通信システムに適用しコンピュータにインストールして実行可能な情報通信プログラムにおいて、機能設定情報記憶手段において前記情報通信端末の前記通信の操作に係る機能設定情報を記憶するステップと、機能設定情報送信手段において前記情報通信網に接続して前記機能設定情報記憶手段に記憶された前記機能設定情報を送信するステップと、機能設定情報受信手段において前記情報通信網に接続して受信した前記機能設定情報を前記機能設定情報記憶手段に書き込むステップと、が前記情報通信端末においてそれぞれ実行され、機能設定情報サーバにおいて前記情報通信網に接続されて前記機能設定情報を記憶しておき前記機能設定情報受信手段からの要求に応じて前記機能設定情報を送信するステップと、して前記コンピュータに実行させる。
【００１６】
また、請求項９に記載の本発明は、請求項８において、前記情報通信端末を操作する利用者はあらかじめ付与された固有のユーザＩＤを有し、前記機能設定情報サーバにおいて、前記情報通信端末の操作において入力された前記ユーザＩＤが前記機能設定情報と関連付けされて記憶されるステップと、任意の前記情報通信端末の前記機能設定情報送信手段から送信される要求情報に含まれる前記ユーザＩＤと合致した場合に前記要求情報に応じて前記機能設定情報を前記機能設定情報受信手段へ送信するステップと、を有する。
【００１７】
また、請求項１０に記載の本発明は、請求項９において、前記ＩＤは、前記利用者の個人を特定するために付与されたユーザＩＤと、前記利用者の属するグループを特定するために該グループ毎に付与されたグループＩＤと、のうちのいずれか一方または両方である。
【００１８】
また、請求項１１に記載の本発明は、請求項８〜１０のいずれかにおいて、前記機能設定情報は、前記利用者の任意に設定可能である。
【００１９】
また、請求項１２に記載の本発明は、請求項８〜１１のいずれかにおいて、前記情報通信端末は、前記利用者が触れることにより情報入力が可能なタッチパネルを備え、このタッチパネルに前記機能設定情報記憶手段に記憶された前記機能設定情報に基づいた前記利用者毎の画面表示を行い、前記通信中に必要な操作画面のみを表示するステップを有する。
【００２０】
また、請求項１３に記載の本発明は、請求項１２において、前記情報通信網に接続してユーザインタフェースコンテンツをダウンロードするステップを有する。
【００２１】
また、請求項１４に記載の本発明は、前記ユーザＩＤおよび／または前記グループＩＤ毎に請求項１２および請求項１３を実行するステップを有する。
【発明の効果】
【００２２】
本発明によれば、情報通信網に接続されて通信する通信端末の利用者にとって、その嗜好やスキルに応じた通信端末の設定を自在に行え、設定された機能設定情報を一元管理し、利用者の求めに応じて指定された情報端末へ機能設定情報を提供可能な情報通信システム、情報通信プログラムを提供することができる。
【００２３】
また、タッチパネルを備えてハードウェアを変更することなしに機能追加をすることができ、情報通信システムおよび情報通信プログラムの開発効率を向上できる。
【００２４】
また、情報通信網を介して情報通信端末のバージョンアップを容易に実行できる。
【発明を実施するための最良の形態】
【００２５】
図１は、本発明の実施の形態の情報通信システムに係る、全体構成を説明するための構成図を示している。
【００２６】
この図１には、制御端末１と、利用端末２と、制御端末１の一例としてのネットワーク（ＮＷ）サーバ３と、ネットワークサーバ３が接続して利用端末２に接続するための情報通信網（ネットワーク）４と、利用端末２の一例としてある任意のＡ地点５およびＢ地点６にそれぞれ設置された電話機（情報通信端末）７と、が示されている。ネットワークサーバ３は電話機７とそれぞれ通信可能であり、電話機７同士でも通信可能である。
【００２７】
情報通信網４は例えばＩＰ電話回線やインターネットあるいは電話回線網などが含まれ、これら通信網の必要に応じて図示しない（通信・電話）交換機なども接続されている。また、ネットワークサーバ３は利用端末２の一例とした複数の電話機７が接続されており、電話機７と情報通信網４との間に位置してゲートウェイサーバを構成している。
【００２８】
なお、電話機７は図示しない利用者が指先で接して（タッチ操作）操作するタッチパネルを備えている（タッチパネル機能搭載）。このタッチパネルは、たとえば液晶表示装置による画像表示が可能であり、この表示画像上の特定箇所を押すか触ることにより指示入力が可能である。たとえば、画像表示として数字キー、音量、音質、リダイヤル、電話番号、発信／着信履歴、留守電設定、通話時間、通話料金等の各種内容を任意に設定することができる。さらに、液晶表示装置を採用することにより、表示内容を自在に変更することも容易である。
【００２９】
また図２には、本発明の実施の形態の情報通信システムに係る、全体構成を説明するための別の構成図を示している。
【００３０】
この図２には、既に示した図１の構成の変形例の一つであり、制御端末１０と、利用端末１１と、制御端末１０の一例として主装置１２と、利用端末１１の一例として電話機（情報通信端末）１３と、が示されている。なお、電話機１３は電話機７と同様の構成を備えることが好ましい。また、主装置１２は電話機１３とそれぞれ通信可能であり、電話機１３同士でも主装置１２を介して通信可能である。この主装置１２はたとえば一般家庭や企業の事務所などに設置されて、外部とは図示しない情報通信網を介して接続している。主装置１２によりＩＰ電話網の利用やインターネットを介したＷｅｂサイトの閲覧などを可能とするゲートウェイサーバ（ホームサーバ）を構築している。
【００３１】
次の図３には、本発明の実施の形態の情報通信システムに係る制御端末１の構成を説明するための構成図を示している。
【００３２】
この図３には、システム制御部２０と、利用者ＩＤ識別２１と、個人データの記録・管理２２と、ＦＬＡＳＨ（登録商標）データ管理２３と、回線制御部（送受信制御部）２４と、が示されている。さらに利用者ＩＤ識別２１を構成する詳細なデータとして、利用ユーザを識別するユーザＩＤ３０と、端末を特定するグループＩＤ３１と、ユーザＩＤ毎の認証パスワード３２と、を有している。
【００３３】
また、個人データの記録・管理２２を構成する詳細なデータとしては、ユーザＩＤ毎の発着信データ管理３３と、ユーザＩＤ毎の電話帳データ管理３４と、ユーザＩＤ毎の端末設定データ管理３５と、ユーザＩＤ毎の回線リソースデータ管理３６と、ユーザＩＤ毎の留守番ＩＣ利用データ管理３７と、ユーザＩＤ毎のプレゼンスデータ管理３８と、を有している。
【００３４】
また、ＦＬＡＳＨ（登録商標）データ管理２３を構成する詳細なデータとしては、後述する複数の操作モード３９を有している。
【００３５】
次の図４は、本発明の実施の形態の情報通信システムに係る利用端末２の構成を説明するための構成図を示している。
【００３６】
この図４には、ユーザインタフェース（画面情報）４０と、インタフェース制御部４１と、システム制御部４２と、利用者ＩＤ識別４３と、個人データの送受信４４と、回線制御部（送受信制御部）４５と、が示されている。さらに、インタフェース制御部４１を構成する詳細な構成としては、タッチパネル制御５０と、ＦＬＡＳＨ（登録商標）制御（画面制御）５１と、ＦＬＡＳＨ（登録商標）ファイル管理５２と、を有している。
【００３７】
また、利用者ＩＤ識別４３では、その構成内容の詳細として、利用ユーザを識別するユーザＩＤ５３と、端末を特定するグループＩＤ５４と、ユーザＩＤ毎の認証パスワード５５と、を有している。
【００３８】
また、個人データの送受信４４では、その構成として、利用ユーザの発着信データ管理５６と、利用ユーザの電話帳データ管理５７と、利用ユーザの端末設定データ管理５８と、利用ユーザの回線リソースデータ管理５９と、利用ユーザの留守番ＩＣ利用データ管理６０と、利用ユーザのプレゼンスデータ管理６１と、を有している。
【００３９】
次の図５に、本発明の実施の形態の情報通信システムに係る利用端末２と制御端末１による処理の流れを説明するためのフロー図を示している。
【００４０】
この図５には、図１〜図４に示した構成において実行される処理をフローで示している。初期状態として利用端末２では待ち受け画面が例えばタッチパネルに表示されている（ステップＳ１）。この表示を見て利用者は利用ユーザを決定するための操作を行う。この操作は利用者がタッチパネルに表示された名前やＩＤの中から自分に該当する項目を選び、タッチする（ステップＳ２）。
【００４１】
次に、タッチパネルへの入力により制御端末（制御装置）１へ利用者のユーザＩＤとグループＩＤを送信する（ステップＳ３）。ユーザＩＤは利用者の個々人に与えられたＩＤであり、個人認証を行うための情報である。グループＩＤは利用端末２を管理するためのＩＤであり、会社や組織、設置場所などをグループ化して割り当てられたＩＤである。
【００４２】
次に、制御端末１において、利用端末２から送信されたユーザＩＤとグループＩＤに該当するユーザＩＤのログイン状況を確認する（ステップＳ４）。この確認で該当するユーザＩＤで利用端末２が動作中（既にログイン中）である場合は、ログイン不可として処理し（ステップＳ５）、さらに必要に応じて利用端末２の画面にログイン不可の旨を表示してもよい。
【００４３】
一方、該当するユーザＩＤが非ログイン中であったり、あるいは利用端末２が非動作状態である場合は、別のユーザＩＤにてログインが可能な状態であり、この場合はログインされているユーザＩＤに別のユーザＩＤが上書きすることになる。このため、上書きされたユーザＩＤは制御端末１上で自動的にログアウトしてしまう。そこで、上書きされたログインＩＤがある場合は、上書きされたログインＩＤが制御端末１に再ログインされるまで制御端末１のタッチパネルにお知らせ情報として、自動的にログアウトされたユーザＩＤがあることを表示する。
【００４４】
さらに、ユーザＩＤとグループＩＤにて利用可能なＦＬＡＳＨ（登録商標）ファイル情報を利用端末２へ情報通信網４を介して送信する（ステップＳ６）。このステップＳ６では利用端末２の図示しない表示画面に画像表示するための画像データファイルのインデックス情報を利用端末２へ送る。また画像データファイルは既存のＦＬＡＳＨ（登録商標）形式のソフトウェアで書かれているが、これに限定するものではなく、他の画像や動画を処理するソフトウェアを用いてもよい。
【００４５】
次に、制御端末１から送信されたＦＬＡＳＨ（登録商標）ファイル情報に基づき、利用端末２にて必要なＦＬＡＳＨ（登録商標）ファイルの要求を制御端末１へ送信する（ステップＳ７）。制御端末１は、ユーザインタフェース情報として、要求されたユーザＩＤに一致した利用者データ情報を利用端末２へ送出する（ステップＳ８）。なお、ここで送出する利用者データ情報は制御端末１にて生成される利用データ情報一覧７０を送出する。生成される利用データ情報一覧７０の内容は、ユーザＩＤ毎の発着信データ管理情報７１、ユーザＩＤ毎の電話帳データ管理情報７２、ユーザＩＤ毎の端末設定データ管理情報７３である。また、利用データ情報一覧７０を生成するための基となる情報は、利用端末２が有する利用者ＩＤ識別４３と個人データの送受信４４の情報である。
【００４６】
また、ユーザＩＤ毎の端末設定データ管理情報７３の内容は、例えば利用者の嗜好や操作のスキルに応じて設定された利用端末２の機能設定情報であり、受話音量や受話速度、タッチパネルに表示される操作ボタンの配置やデザイン、大きさ、種類、数などの機能を設定するための情報である。すなわち、本実施の形態における機能設定情報とは、「ユーザインタフェースコンテンツ」及び「設定情報（端末設定／発着信履歴／電話帳データ）」、「プレゼンス情報（待機中／発着信中／通話中／ログアウト）」の３つの情報を指している。なお、ユーザインタフェースコンテンツとは利用端末２に備わるタッチパネルに表示される画面情報である。この画面情報は、たとえば高齢者向けには大きなフォントやみやすい色や形などで構成された基本的なテンプレート情報である。また例えば、子供向けには平仮名表記にしたり、親しみやすいアニメ番組のキャラクターを動的に表示したりしてもよい。
【００４７】
また、利用端末２の動作状態に応じて必要な機能ボタンのみを選択して表示することが可能である。たとえばＳＩＰ（Session Initiation Protocol）端末等において、接続中の回線状態や端末２の状態をプレゼンス情報で表示することが可能になるので、回線が埋まっているときは発信ボタンを表示させない等の制御が可能になる。
【００４８】
さらには、先述の３つの情報以外に、利用端末２の内部動作に必要なファームウェアのバージョンアップデータを機能設定情報として利用端末２へ配信してもよい。配信されるファームウェアは受信した利用端末２にインストールされ、利用端末２の動作を司るファームウェアのバージョンアップを容易に行うことができる。そしてタッチパネルに表示されるユーザインターフェースコンテンツのバージョンアップもハードウェアを変更すること無しに実行できるので、機能追加も容易に行うことができる。
【００４９】
制御端末ユーザＩＤとグループＩＤを認証するためには、利用端末２から送出される利用ユーザを識別するユーザＩＤ５３と、端末を特定するグループＩＤ５４と、ユーザＩＤ毎の認証パスワード５５と、を制御端末１が受信する。制御端末１は利用者ＩＤ識別２１において、利用ユーザを識別するユーザＩＤ３０と、端末を特定するグループＩＤ３１と、ユーザＩＤ毎の認証パスワード３２と、をもってそれぞれ照合する。照合して認証が完了された後に、ユーザＩＤ毎の発着信データ管理３３と、ユーザＩＤ毎の電話帳データ管理３４と、ユーザＩＤ毎の端末設定データ管理３５と、を利用端末２へ送信する。
【００５０】
次に、利用端末２にてユーザ切替実施が完了する（ステップＳ９）。
【００５１】
次の図６には、利用端末２の動作について説明するためのフロー図を示している。ユーザＩＤとグループＩＤが制御端末１で認証され、利用データ情報一覧７０が読み込まれた後は、該当のユーザＩＤを持つ利用者にとって利用端末２が使いやすい設定になっている。この設定は、例えば電話機７に搭載のタッチパネル機能に表示される機能ボタンが利用者の好みやスキルに応じて固有化されている。
【００５２】
利用端末２では待ち受け画面を画面表示する（ステップＳ１０）。発信ボタンが押されると、これを状態変化（発信中）として識別し、機能制御部４２へ通知送出する（ステップＳ１１）。
【００５３】
機能制御部４２ではキーパット入力（タッチパネルからの入力）開始要求をユーザインタフェース制御部４０へ返信する（ステップＳ１２）。次に、ファーストダイヤル入力待ちタイマーが起動する（ステップＳ１３）。ファーストダイヤル待ちタイマーはキーパット入力による電話番号の入力を所定時間で待機するための計時手段である。ここで所定時間内にダイヤル入力がされないと、タイマー満了となりＢＴ音鳴動を実行してエラー通知を行い（ステップＳ１４）、待ち受け画面へ遷移する（ステップＳ１５）。
【００５４】
一方、ステップＳ１３にてダイヤル入力があると、桁間タイマーが満了するか、あるいは発信ボタンが押し下げられる（ステップＳ１６）。機能制御部４２ではダイヤル入力情報が発信され（ステップＳ１７）、回線制御部４５では網側入力発信が行われる（ステップＳ１８）。発信先となる相手端末８０より相手応答される（ステップＳ１９）。この応答で、相手が受信不可（不在）の場合はＢＴ音鳴動要求を回線制御部４５へ返し（ステップＳ２０）、機能制御部４２もこの要求を受けてＢＴ音鳴動要求をユーザインタフェース制御部４０へ返す（ステップＳ２１）。ユーザインタフェース制御部４０では待ち受け画面への遷移が実行され送受信の待機状態になる（ステップＳ２２）。
【００５５】
また、ステップＳ１９にて相手が応答可能になると、回線制御部４５にてＲＢＴ音鳴動要求がされ（ステップＳ２３）、機能制御部４２ではＲＢＴ音鳴動と呼び出し中の状態変化を通知送出する（ステップＳ２４）。そして、ユーザインタフェース制御部４０では呼び出し中画面へ遷移する（ステップＳ２５）。
【００５６】
また、ステップＳ１９において相手端末８０が応答すると、回線制御部４５はＲＢＴ音鳴動停止要求を発し（ステップＳ２６）、機能制御部４２はＲＢＴ音鳴動停止と状態変化（通話中）を通知送出する（ステップＳ２７）。そして、ユーザインタフェース制御部４０により通話中画面へ遷移する（ステップＳ２８）。
【００５７】
図７には制御端末の動作を説明するためのフロー図を示している。
【００５８】
まず、利用端末２にて待ち受け画面が表示されている（ステップＳ３０）。ここで、電話帳データの更新が自動もしくは手動で実行される（ステップＳ３１）。制御端末１はこの電話帳の更新において、利用者ＩＤ毎に保存されている電話帳データの更新を実行する（ステップＳ３２）。
【００５９】
利用端末２にて電話帳以外の端末操作を実行する（ステップＳ３３）場合には、その端末操作が端末設定（受話音量のレベル設定など）や発着信データである場合は、利用端末２のＲＯＭへデータ保存する（ステップＳ３４）。任意のタイミングやユーザログオフ時に利用端末２のＲＯＭに保存しているデータを制御端末に保存されているデータの更新（ステップ３５）が行われる。
【００６０】
また、ステップＳ３４に連動して制御端末１では利用者ＩＤ毎に保存されている発着信／端末データの更新が実行される（ステップＳ３５）。なお、この更新はユーザログオフ時に自動登録されるか、あるいは手動でも実行可能である。また、ステップＳ３６に連動して制御端末１では、利用者ＩＤ毎に保存されている端末データの更新が実行される（ステップＳ３７）。なお、この更新もユーザログオフ時に自動登録されるか、あるいは手動でも実行可能である。
【００６１】
さらに、利用端末２において発着信動作や留守／通話録音動作を行うと（ステップＳ３８）、自動的に制御端末１においてシステムデータの更新が実行される（ステップＳ３９）。この更新内容は、回線リソース情報と留守番プレゼンス情報を少なくとも含んでいる。
【００６２】
また一方で、利用端末２の利用をやめ他の利用端末１００へ利用端末２に使用していたユーザＩＤでもってログインすると、他の利用端末１００では、制御端末１に保存されている利用者ＩＤ毎の電話帳データをダウンロードする（ステップＳ４１）。また、制御端末１に保存されている利用者ＩＤ毎の端末データをダウンロードする（ステップＳ４２）。また、制御端末１に保存されている利用者ＩＤ毎の端末データをダウンロードする（ステップＳ４３）。そして、制御端末１からは自動的に他の端末１００へプレゼンス情報が提供される。他の利用端末１００が取得するプレゼンス情報は、空き回線情報通知と、他利用者ＩＤの状況（通話中、着信中等）と、留守番機能の利用状況を少なくとも含む（ステップＳ４０）。このようにして、ユーザＩＤにて特定される利用者個人個人に合わせてカスタマイズされた機能設定情報を他の利用端末１００へローミングすることができる。
【００６３】
なお、情報通信網（電話回線等）のトラヒック負荷が過大な場合や、あるいは電話回線に輻輳が生じている場合は、その状況に応じて利用端末２と制御端末１および他の利用端末１００との間の情報の通信は制御される。たとえば輻輳が生じていることが検知されると、ＷＡＩＴや保留などを実行し、回線が空いて輻輳が解消されるまで待機するなどの対策が実行される。また、利用端末２のタッチパネル上に例えば「しばらくお待ちください」といった利用者向けの案内表示をしてもよい。
【００６４】
次の図８に、操作モード３９について説明するためのフロー図を示す。
【００６５】
この図８において、まず利用端末２のタッチパネルに利用者ＩＤを入力して、この利用端末２の利用を認証により可能な状態にする。ここで、その利用者ＩＤを持つ利用者が初めて操作モード３９の設定を行う場合は、ＦＬＡＳＨデータ管理２３に利用者ＩＤに紐付けされた操作モード３９が登録されていないことが確認された後、ステップＳ１００に示すような画面がタッチパネルに表示される。ステップＳ１００においてタッチパネルに表示される内容としては、たとえば「基本モード」「シンプルモード」「携帯モード」といった内容である。この画面表示において、利用者が所望するモードのボタンを押すことにより、そのモードに応じた操作モード３９が利用端末２へダウンロードされる。
【００６６】
次のステップＳ１０１では、利用者が選択した操作モード３９について、識別しやすい名称を設定することができる。たとえばタッチパネルに「おじいちゃん」「おばあちゃん」「おとうさん」「おかあさん」「子ども１」「子ども２」「共通１」「共通２」「自分で登録する」といったボタン表示がされる。利用者はこの中から所望する名称のボタンを押すことにより、ステップＳ１００で設定した操作モード３９に名称を設定することができる。
【００６７】
なお、ステップＳ１０２は、ステップＳ１０１にて「自分で登録する」と表示されたボタンが選択された場合の表示の一例を示している。ここでは利用者の任意による名称が設定できる。タッチパネルに表示される内容は、作成中の文言のほかに、入力の確定や文字変換、文字種切替、消去などの文言編集に必要な機能ボタンであり、これらが同時に表示されている。
【００６８】
次に、ステップＳ１０１あるいはステップＳ１０２において選択あるいは作成された操作モード３９の名称は、ステップＳ１０３において登録される。この登録が完了することにより、次回からは利用端末２へ利用者が利用者ＩＤを入力してログインすることにより、ここで登録された名称が表示され、同時に利用者が操作しやすい構成である操作モード３９に基づいた操作ボタンが表示される（ステップＳ１０４）。
【００６９】
このように操作モード３９を自在に設定可能にすることで、利用者個人の好みやスキルによって変わる操作方法への要求に対応できる。この対応方法として、利用者個人のスキルや嗜好に合わせて利用端末２のタッチパネルに表示されるインターフェイスデザインを変更している。例えば、携帯電話の普及によりアイコンや単語（発信履歴等）での機能名称を表示したほうが直感的でわかりやすい利用者や、あるいは単語等でなく目的別に文章（電話をかけた相手を確認する等）にて機能名称を表示したほうがわかりやすい利用者にも対応できる。
【００７０】
そして、このように利用者個人の嗜好やスキルに合わせて、利用端末（電話機）２のインターフェイスデザインを変更することについて、たとえば図８に示したように世代別やスキル別のインターフェイス画面のテンプレートを用意することで、電話機のインターフェイスデザインの作成を容易に行うことができる。
【００７１】
なお、本発明の実施の形態において説明した情報通信システムにおいて実行される情報処理は、コンピュータが読み込んで実行可能なコンピュータプログラムとすることができる。このプログラムがコンピュータに読み込まれることにより、このプログラムと、コンピュータおよびサーバ、情報端末、制御端末を含むハードウエア資源が協働して情報の演算又は加工を実現することにより、本発明の解決すべき課題に応じた特有の情報通信方法、情報通信プログラムを構築することができる。
【００７２】
以上説明した本発明の実施の形態によれば、情報通信網に接続されて通信する通信端末の利用者にとって、その嗜好やスキルに応じた通信端末の設定を自在に行え、設定された機能設定情報を一元管理し、利用者の求めに応じて指定された情報端末へ機能設定情報を提供可能な情報通信システム、情報通信プログラムを提供することができる。
【００７３】
また、設定された情報を一元管理することによって、電話機等の端末の個々についての機能設定情報などをきめ細かく管理し、他の電話機等の端末へその機能設定情報を再現することができる。
【００７４】
また、従来の電話機では入力ボタンが固定されているため、機能追加を行う場合は、ユーザの操作が複雑になったり、ハードウェア仕様を変更する必要があった。しかし、データ入力部分をタッチパネル操作にすることによって、データ入力部と機能制御部をソフトウェアで制御することが可能になり、ハードウェア仕様を変更すること無しに機能追加することができるため、電話機の機能追加や機能削除などを容易に実現することができる。
【００７５】
また、構内システムに管理される一台の端末を複数の利用者が入れ替わり操作する場合において、それぞれの利用者に使いやすいカスタマイズを行った機能設定情報を提供することができる。
【００７６】
また、操作中に必要な機能ボタンのみを選択して表示することによって、利用者は電話機に対する操作指示の判断を容易に行うことができる。
【図面の簡単な説明】
【００７７】
【図１】本発明の実施の形態に係る全体構成を説明するための構成図を示す。
【図２】本発明の実施の形態に係る全体構成を説明するための別の構成図を示す。
【図３】本発明の実施の形態に係る制御端末の構成を説明するための構成図を示す。
【図４】本発明の実施の形態に係る利用端末の構成を説明するための構成図を示す。
【図５】本発明の実施の形態に係る利用端末と制御端末による処理の流れを説明するためのフロー図を示す。
【図６】本発明の実施の形態に係る利用端末の動作について説明するためのフロー図を示す。
【図７】本発明の実施の形態に係る制御端末の動作を説明するためのフロー図を示す。
【図８】本発明の実施の形態に係る操作モードを説明するためのフロー図を示す。
【符号の説明】
【００７８】
１、１０  制御端末
２、１１  利用端末
３  ネットワーク（ＮＷ）サーバ
４  情報通信網（ネットワーク）
７、１３  電話機（情報通信端末）
１２  主装置
２０  システム制御部
２４  回線制御部
【図１】
2008252845.tif 000003
【図２】
2008252845.tif 000004
【図３】
2008252845.tif 000005
【図４】
2008252845.tif 000006
【図５】
2008252845.tif 000007
【図６】
2008252845.tif 000008
【図７】
2008252845.tif 000009
【図８】
2008252845.tif 000010